【手続補正書】
【提出日】平成27年12月22日(2015.12.22)
【手続補正１】
【補正対象書類名】特許請求の範囲
【補正対象項目名】全文
【補正方法】変更
【補正の内容】
【特許請求の範囲】
【請求項１】
電子接触器装置であって、
ガイド穴を有するガイドと、
前記ガイド穴に配設された細長い本体の端に先端部を備えるプローブであって、前記プローブは、テスト中の電子デバイス（ＤＵＴ）の端子による前記先端部への接触力に応答して、前記先端部が前記端子の表面に接触しかつ前記表面に沿ってスライドするように構成される、プローブと、を備え、
前記細長い本体は、前記ガイド穴の第１接触領域上に接触しかつ乗る第１パターン形成された領域と、前記先端部にかかる接触力に応答して前記ガイド穴内で前記細長い本体が動くのに従って前記ガイド穴の第２接触領域上に接触しかつ乗る第２パターン形成された領域と、を有し、
前記先端部は、前記第１パターン形成された領域が前記第１接触領域上に乗りかつ前記第２パターン形成された領域が前記第２接触領域上に乗るのに従って、前記端子の前記表面に沿った前記先端部の横方向の移動を有するパターンで動き、前記横方向の移動は、前記第１パターン形成された領域及び前記第２パターン形成された領域の組み合わせられた関数である、電子接触器装置。
【請求項２】
前記第１パターン形成された領域は、前記細長い本体の側面内に延在するか又は前記側面から延在する一つ以上の表面を有し、
前記第２パターン形成された領域は、前記細長い本体の側面内に延在するか又は前記側面から延在する一つ以上の表面を有し、
前記組み合わせられた関数は、前記第１パターン形成された領域の前記一つ以上の表面と前記第２パターン形成された領域の前記一つ以上の表面とに対応する、請求項１に記載の装置。
【請求項３】
前記第１接触領域は、前記ガイドの第１表面における前記ガイド穴の第１開口部に近接する前記ガイド穴の内側であり、
前記第２接触領域は、前記ガイドの前記第２表面における前記ガイド穴の第２開口部に近接する前記ガイド穴の内側であり、
前記第１表面は、前記第２表面の反対側にある、請求項２に記載の装置。
【請求項４】
前記細長い本体と前記ガイド穴の内側側壁との間に隙間がある、請求項３に記載の装置。
【請求項５】
前記第１パターン形成された領域の前記一つ以上の表面は、少なくとも二つの隣接する湾曲した表面を有する、請求項２に記載の装置。
【請求項６】
前記第１パターン形成された領域の前記一つ以上の表面は、前記細長い本体の一つ以上の側面から分岐する、請求項２に記載の装置。
【請求項７】
前記第１パターン形成された領域の前記表面の少なくとも一つは湾曲している、請求項２に記載の装置。
【請求項８】
前記第１パターン形成された領域の前記一つ以上の表面は、前記細長い本体の前記側面から異なる方向に分岐する直列の表面を有する、請求項２に記載の装置。
【請求項９】
前記先端部の前記横方向の移動は、前記端子の前記表面に沿った第１方向に向かう前記先端部の移動と、続いて、前記第１方向とは実質的に反対の前記端子の前記表面に沿った第２方向に向かう前記先端部の移動と、を含む、請求項１に記載の装置。
【請求項１０】
前記プローブは、前記細長い本体の反対側の端に第２先端部をさらに備える、請求項１に記載の装置。
【請求項１１】
前記細長い本体の最長の長さ及び前記力の方向は、実質的に垂直な軸に沿って方向付けられ、
前記先端部の前記横方向の移動は、実質的に水平である、請求項１に記載の装置。
【請求項１２】
プローブカードアセンブリであって、
テスト中の電子デバイス（ＤＵＴ）のテストを制御するためのテスタの電気的インターフェースを有する配線基板と、
ガイド穴を有するガイドと、
前記ＤＵＴの接触端子に配設されかつ前記電気的インターフェースに電気的に接続される導電性プローブと、を備え、
前記各プローブは、前記ガイド穴のうち対応するガイド穴の一つに配設される細長い本体の端に先端部を有し、
前記細長い本体は、前記対応するガイド穴の第１接触領域上に接触しかつ乗る第１パターン形成された領域と、前記先端部に対する前記ＤＵＴの前記端子のうち一つの力に応答して前記細長い本体が前記対応するガイド穴内で動くのに従って、前記対応するガイド穴の第２接触領域上に接触しかつ乗る第２パターン形成された領域と、を有し、
前記先端部は、前記第１接触領域上に前記第１パターン形成された領域が乗りかつ前記第２接触領域上に前記第２パターン形成された領域が乗るのに従って、前記端子のうち一つの表面に沿った前記先端部の横方向の移動を有するパターンで動き、前記横方向の移動は、前記第１パターン形成された領域及び前記第２パターン形成された領域の組み合わせられた関数である、プローブカードアセンブリ。
【請求項１３】
前記第１パターン形成された領域は、前記細長い本体の側面内に延在するか又は前記側面から延在する一つ以上の表面を有し、
前記第２パターン形成された領域は、前記細長い本体の側面内に延在するか又は前記側面から延在する一つ以上の表面を有し、
前記組み合わせられた関数は、前記第１パターン形成された領域の前記一つ以上の表面と前記第２パターン形成された領域の前記一つ以上の表面とに対応する、請求項１２に記載のプローブカードアセンブリ。
【請求項１４】
各前記プローブについて、
前記第１接触領域は、前記ガイドの第１表面における前記対応するガイド穴の第１開口部に近接する前記対応するガイド穴の内側であり、
前記第２接触領域は、前記ガイドの第２表面における前記対応するガイド穴の第２開口部に近接する前記対応するガイド穴の内側であり、
前記第１表面は、前記第２表面の反対側になる、請求項１３に記載のプローブカードアセンブリ。
【請求項１５】
前記細長い本体と前記ガイド穴の内側側壁との間に隙間がある、請求項１４に記載のプローブカードアセンブリ。
【請求項１６】
前記第１パターン形成された領域の前記一つ以上の表面は、少なくとも二つの隣接する湾曲した表面を有する、請求項１３に記載のプローブカードアセンブリ。
【請求項１７】
各前記プローブについて、前記第１パターン形成された領域の前記一つ以上の表面は、前記プローブの前記細長い本体の一つ以上の側面から分岐する、請求項１３に記載のプローブカードアセンブリ。
【請求項１８】
前記第１パターン形成された領域の前記表面の少なくとも一つは湾曲している、請求項１７に記載のプローブカードアセンブリ。
【請求項１９】
前記第１パターン形成された領域の前記一つ以上の表面は、前記細長い本体の前記側面から異なる方向に分岐する直列の表面を有する、請求項１３に記載のプローブカードアセンブリ。
【請求項２０】
前記先端部の前記横方向の移動は、前記端子のうち一つの前記表面に沿った第１方向に向かう前記先端部の移動と、続いて、前記第１方向とは実質的に反対の前記端子のうち一つの前記表面に沿った第２方向に向かう前記先端部の移動と、を含む、請求項１３に記載のプローブカードアセンブリ。
【請求項２１】
各前記プローブに対して、
前記細長い本体の最長の長さ及び前記力の方向は、実質的に垂直な軸に沿い、
前記先端部の前記横方向の移動は、実質的に水平である、請求項１２に記載のプローブカードアセンブリ。
【請求項２２】
前記第１パターン形成された領域の前記一つ以上の表面のパターンは、前記第２パターン形成された領域の前記一つ以上の表面のパターンと実質的に同じである、請求項３に記載の装置。
【請求項２３】
前記第１パターン形成された領域と前記第２パターン形成された領域は、実質的に同じパターンを有する、請求項１に記載の装置。
【請求項２４】
前記第１パターン形成された領域における前記細長い本体の水平断面は、前記軸まわりの前記細長い本体の回転を与える輪郭を有し、
前記先端部は、前記第１パターン形成された領域が前記第１接触領域上に乗りかつ前記第２パターン形成された領域が前記第２接触領域上に乗るのに従って、前記横方向の移動及び前記回転を有するパターンで動く、請求項１１に記載の装置。
【請求項２５】
前記第１パターン形成された領域は、前記第１パターン形成された領域が前記第１接触領域上に乗るのに従って前記細長い本体を回転させる輪郭を有する、請求項１１に記載の装置。
【請求項２６】
前記細長い本体の断面形状は、多角形であり、
前記第１パターン形成された領域は、前記細長い本体の第１の側面上にあり、
前記第２パターン形成された領域は、前記細長い本体の第２の側面上にあり、
前記第１の側面と前記第２の側面は、前記細長い本体の隣接した面である、請求項１に記載の装置。
【請求項２７】
前記第１パターン形成された領域の前記一つ以上の表面のパターンは、前記第２パターン形成された領域の前記一つ以上の表面のパターンと実質的に同じである、請求項１４に記載のプローブカードアセンブリ。
【請求項２８】
前記第１パターン形成された領域と前記第２パターン形成された領域は、実質的に同じパターンを有する、請求項１２に記載のプローブカードアセンブリ。
【請求項２９】
前記第１パターン形成された領域における前記細長い本体の水平断面は、前記軸まわりの前記細長い本体の回転を与える輪郭を有し、
前記先端部は、前記第１パターン形成された領域が前記第１接触領域上に乗りかつ前記第２パターン形成された領域が前記第２接触領域上に乗るのに従って、前記横方向の移動及び前記回転を有するパターンで動く、請求項２１に記載のプローブカードアセンブリ。
【請求項３０】
前記第１パターン形成された領域は、前記第１パターン形成された領域が前記第１接触領域上に乗るのに従って前記細長い本体を回転させる輪郭を有する、請求項１２に記載のプローブカードアセンブリ。
【請求項３１】
前記細長い本体の断面形状は、多角形であり、
前記第１パターン形成された領域は、前記細長い本体の第１の側面上にあり、
前記第２パターン形成された領域は、前記細長い本体の第２の側面上にあり、
前記第１の側面と前記第２の側面は、前記細長い本体の隣接した面である、請求項１２に記載のプローブカードアセンブリ。
【請求項３２】
前記先端部への前記力がないときに、
前記細長い本体の第１の部分が、前記ガイドの第１側面における前記ガイド穴の第１開口部から延在し、前記細長い部分の第２の部分が、前記ガイドの前記第１側面と反対側の第２側面における前記ガイド穴の第２開口部から延在し、前記細長い本体の前記第１の部分と前記第２の部分の間にある中間部分が、前記ガイド穴の内側に配置され、
前記細長い本体が前記ガイド穴の前記第１開口部と接触しないように、前記細長い本体の前記中間部分と前記ガイド穴の前記第１開口部との間に十分な隙間がある、請求項１に記載の装置。
【請求項３３】
前記先端部への前記力がないときに、
前記細長い本体の第１の部分が、前記ガイドの第１側面における前記ガイド穴の第１開口部から延在し、前記細長い部分の第２の部分が、前記ガイドの前記第１側面と反対側の第２側面における前記ガイド穴の第２開口部から延在し、前記細長い本体の前記第１の部分と前記第２の部分の間にある中間部分が、前記ガイド穴の内側に配置され、
前記細長い本体が前記ガイド穴の前記第１開口部と接触しないように、前記細長い本体の前記中間部分と前記ガイド穴の前記第１開口部との間に十分な隙間がある、請求項１２にプローブカードアセンブリ。
【請求項３４】
前記先端部は、前記第１パターン形成された領域が前記第１接触領域上に乗りかつ前記第２パターン形成された領域が前記第２接触領域上に乗るのに従って、前記細長い本体の実質的な捩れを含まない前記横方向の移動を有するパターンで動く、請求項１に記載の装置。
【請求項３５】
前記細長い本体の前記第２パターン形成された領域ではなく前記第１パターン形成された領域が、前記第１接触領域上に接触しかつ乗り、
前記細長い本体の前記第１パターン形成された領域ではなく前記第２パターン形成された領域が、前記第２接触領域上に接触しかつ乗る、請求項１に記載の装置。
【請求項３６】
前記先端部は、前記第１パターン形成された領域が前記第１接触領域上に乗りかつ前記第２パターン形成された領域が前記第２接触領域上に乗るのに従って、前記細長い本体の実質的な捩れを含まない前記横方向の移動を有するパターンで動く、請求項１２に記載のプローブカードアセンブリ。
【請求項３７】
前記細長い本体の前記第２パターン形成された領域ではなく前記第１パターン形成された領域が、前記第１接触領域上に接触しかつ乗り、
前記細長い本体の前記第１パターン形成された領域ではなく前記第２パターン形成された領域が、前記第２接触領域上に接触しかつ乗る、請求項１２に記載のプローブカードアセンブリ。